(57)【要約】【課題】枝における茎からの分岐基部側に簡単に留め付け可能で、且つこの留め付けによりこの分岐基部側を適切に湾曲させ得るクリップを提供する。【解決手段】植物の枝Ｂを湾曲外側部１ａをもって下方から支持する湾曲部１と、この湾曲部１の湾曲外側部１ａ上にあってこの湾曲外側部１ａとの間に植物の枝Ｂの保持空間３を形成するクランプ部２とを備えている。クランプ部２は湾曲部１との連接側部２ａとこの連接側部２ａの上端から側方に張り出す上部２ｂとを有している。このクランプ部２の上部２ｂと湾曲部１との間を保持空間３に植物の枝Ｂを側方から受け入れさせる導入口４としてなる。【選択図】図５
2011160774.tif 000002
【特許請求の範囲】
【請求項１】
植物の枝を湾曲外側部をもって下方から支持する湾曲部と、この湾曲部の湾曲外側部上にあってこの湾曲外側部との間に植物の枝の保持空間を形成するクランプ部とを備え、
クランプ部は前記湾曲部との連接側部とこの連接側部の上端から側方に張り出す上部とを有しており、
このクランプ部の上部と湾曲部との間を前記保持空間に植物の枝を側方から受け入れさせる導入口としてなることを特徴とするクリップ。
【請求項２】
湾曲部における導入口に臨んだ箇所に保持空間側に突き出す係止爪が備えられていることを特徴とする請求項１に記載のクリップ。
【請求項３】
湾曲部の中間位置に間隔を開けて左右にそれぞれクランプ部が備えられていると共に、
左側のクランプ部と湾曲部とにより形成される導入口の開口側と反対となる側において、右側のクランプ部と湾曲部とにより形成される導入口が開口されていることを特徴とする請求項１に記載のクリップ。
【請求項４】
湾曲部の下部に摘み部が形成されていることを特徴とする請求項３に記載のクリップ。
【請求項５】
フック端と湾曲部における植物の茎側に向けられる一端部との間をこの茎を側方から受け入れさせる導入口とするこの茎に対するフック部を一体に備えてなることを特徴とする請求項１又は請求項２に記載のクリップ。
【発明の詳細な説明】
【技術分野】
【０００１】
枝に実を作る植物のこの枝における茎からの分岐基部側に留め付けられて、この分岐基部を湾曲させるために用いられるクリップに関する。
【背景技術】
【０００２】
枝に実を作る植物の育成にあたっては、実の生育により枝が折れやすくなる。そこで、両端にリングを備えた保持具のこのリングの一方を枝に他方を茎に引っ掛けてこの保持具を介して枝を支えるようにしたものがある。（特許文献１参照）ここで、このような枝の折れは、この枝における茎からの分岐基部側を湾曲させるようにこの枝を生育させることで防ぎやすくなる。
【先行技術文献】
【特許文献】
【０００３】
【特許文献１】実開平４−９５４６号公報
【発明の概要】
【発明が解決しようとする課題】
【０００４】
この発明の主たる目的は、枝における茎からの分岐基部側に簡単に留め付け可能で、且つこの留め付けによりこの分岐基部側を適切に湾曲させ得るクリップを提供する点にある。
【課題を解決するための手段】
【０００５】
前記課題を達成するために、この発明にあっては、クリップを、植物の枝を湾曲外側部をもって下方から支持する湾曲部と、この湾曲部の湾曲外側部上にあってこの湾曲外側部との間に植物の枝の保持空間を形成するクランプ部とを備え、
クランプ部は前記湾曲部との連接側部とこの連接側部の上端から側方に張り出す上部とを有しており、
このクランプ部の上部と湾曲部との間を前記保持空間に植物の枝を側方から受け入れさせる導入口としてなるものとした。
【０００６】
植物の枝をその側部より前記導入口を通じて保持空間内に受け入れさせることでクリップはこの枝に留め付く。受け入れられた枝は、湾曲部とクランプ部との間に保持されることからこの留め付け状態は安定的に維持される。そして、かかるクリップは、このように受け入れた枝を上方を湾曲外側とするように湾曲部をもって湾曲させる。
【０００７】
前記湾曲部における導入口に臨んだ箇所に保持空間側に突き出す係止爪を備えさせておけば、保持空間に保持させた枝の側部にこの係止爪が引っかかるようにすることができ、保持空間内に枝を安定的に保持させることができる。
【０００８】
前記湾曲部の中間位置に間隔を開けて左右にそれぞれクランプ部を備えさせると共に、左側のクランプ部と湾曲部とにより形成される導入口の開口側と反対となる側において、右側のクランプ部と湾曲部とにより形成される導入口が開口されるようにしておくことが、この発明の好適な形態の一つである。この場合には、さらに、前記湾曲部の下部に摘み部を形成させておくことが好ましい。
【０００９】
左右のクランプ部間の間隔に湾曲部に枝が交叉するようにして上方から枝を通し、この状態から摘み部を利用して左側のクランプ部と湾曲部とにより形成される導入口と、右側のクランプ部と湾曲部とにより形成される導入口とにそれぞれ枝が入り込む向きにクリップを捻り回すと、左右のクランプ部と湾曲部との間にそれぞれ枝が入り込みクリップは枝にワンタッチで留め付けられる。
【００１０】
クリップがさらに、フック端と湾曲部における植物の茎側に向けられる一端部との間をこの茎を側方から受け入れさせる導入口とするこの茎に対するフック部を一体に備えるようにしておくこともある。このようにすれば、枝側の荷重をクリップを介してこのクリップと茎との留め付け位置、つまり、フック部の引っ掛け位置においても茎側に支えさせることができる。
【発明の効果】
【００１１】
この発明にかかるクリップは、枝における茎からの分岐基部側に簡単に留め付けることができる。それと共に、かかるクリップは、この留め付けによりこの分岐基部側を適切に湾曲させる。
【図面の簡単な説明】
【００１２】
【図１】図１は第一実施例のクリップの斜視図である。
【図２】図２は第一実施例のクリップの正面図である。
【図３】図３は第一実施例のクリップの右側面図である。
【図４】図４は第一実施例のクリップを構成する一対のクランプ部間の間隔に枝を通した状態を示す斜視図である。
【図５】図５は図４の状態からクリップを略９０度捻り回して枝にクリップを装着させた状態を示す斜視図である。
【図６】図６は第二実施例のクリップの斜視図である。
【図７】図７は第二実施例のクリップの斜視図であり、図６と反対の側からクリップを見て示している。
【図８】図８は第二実施例のクリップの平面図である。
【図９】図９は第二実施例のクリップの正面図である。
【図１０】図１０は第二実施例のクリップを構成するフック部を幹に取り付けた状態を示す斜視図である。
【図１１】図１１は図１０の状態からクリップを構成する湾曲部とクランプ部との間に枝を保持させた状態を示す斜視図である。
【発明を実施するための形態】
【００１３】
以下、図１〜図１１に基づいて、この発明の典型的な実施の形態について、説明する。この実施の形態にかかるクリップは、枝Ｂに実を作る植物のこの枝Ｂにおける茎Ｓからの分岐基部Ｂａ側に留め付けられて、この分岐基部Ｂａを湾曲させるために用いられるものである。茎Ｓには蔓も含まれる。枝Ｂは基になる茎Ｓから分かれた茎Ｓである。より具体的には、かかるクリップは、トマトやブドウなどの植物の実を支える枝Ｂにおける茎Ｓからの分岐基部Ｂａに留め付けられて用いられる。
【００１４】
かかるクリップは、植物の枝Ｂを湾曲外側部１ａをもって下方から支持する湾曲部１と、この湾曲部１の湾曲外側部１ａ上にあってこの湾曲外側部１ａとの間に植物の枝Ｂの保持空間３を形成するクランプ部２とを備えている。それと共に、かかるクランプ部２は前記湾曲部１との連接側部２ａとこの連接側部２ａの上端から側方に張り出す上部２ｂとを有しており、このクランプ部２の上部２ｂと湾曲部１との間を前記保持空間３に植物の枝Ｂを側方から受け入れさせる導入口４としている。
【００１５】
これにより、かかるクリップは、植物の枝Ｂをその側部より前記導入口４を通じて保持空間３内に受け入れてこの枝Ｂに留め付く。受け入れられた枝Ｂは、湾曲部１とクランプ部２との間に保持されることからこの留め付け状態は安定的に維持される。そして、かかるクリップは、このように受け入れた枝Ｂを上方を湾曲外側とするように湾曲部１をもって湾曲させる。
【００１６】
すなわち、かかるクリップは、枝Ｂを内側に通す湾曲したチューブ状の保持空間３を前記湾曲部１とクランプ部２により形成させた態様となっている。
【００１７】
かかるクリップにあっては、前記保持空間３への枝Ｂの受け入れを、導入口４を上下方向に拡大する向きの弾性変形をこの受け入れに際してクリップの一部に生じさせることで許容する構成としておくことが、好適である。このようにしておけば、保持空間３に枝Ｂを受け入れきった位置でのクリップの一部の弾性復帰により保持空間３内に枝Ｂを安定的に保持させることができる。クリップにこのような弾性変形特性を持たせることは、クリップを合成樹脂の成形品とすることで容易に実現することができる。
【００１８】
また、この実施の形態にあっては、前記湾曲部１における導入口４に臨んだ箇所に上方に突き出す係止爪１ｃを設けさせている。このようにしておけば、保持空間３に保持させた枝Ｂの側部にこの係止爪１ｃが引っかかるようにすることができ、保持空間３内に枝Ｂを安定的に保持させることができる。
【００１９】
（第一実施例）
図１〜図５に示される第一実施例にかかるクリップにあっては、前記湾曲部１の中間位置に間隔５を開けて左右にそれぞれクランプ部２が備えられていると共に、左側のクランプ部２と湾曲部１とにより形成される導入口４の開口側と反対となる側において、右側のクランプ部２と湾曲部１とにより形成される導入口４が開口されている。
【００２０】
また、この第一実施例にかかるクリップにあっては、湾曲部１の下部、つまり、前記湾曲内側部１ｂに摘み部６が形成されている。
【００２１】
この例にあっては、湾曲部１は、上部を湾曲外側部１ａとし、下部を湾曲内側部１ｂとした細長い湾曲した板状を呈するように構成されている。左右のクランプ部２はそれぞれ、下端を湾曲部１の長さ方向に亘る一方の縁部に一体に連接させて上方に突き出す連接側部２ａと、この連接側部２ａの上端から湾曲部１の長さ方向に亘る他方の縁部上に向けて突き出す上部２ｂとを備えている。この上部２ｂは湾曲部１の湾曲に倣った湾曲を持つように構成されている。また、この例にあっては、連接側部２ａには、その下端から上端に亘る肉抜き穴２ｃが形成されている。また、この例にあっては、クランプ部２の上部２ｂにおける前記導入口４に臨んだ箇所に下方に突き出す係止爪２ｄが形成されている。この例では、左側のクランプ部２の上部２ｂの係止爪２ｄの形成位置の直下と、右側のクランプ部２の上部２ｂの係止爪２ｄの形成位置の直下とにそれぞれ、前記湾曲部１の係止爪１ｃが形成されている。各係止爪１ｃ、２ｄはそれぞれ、湾曲部１の長さ方向に沿った稜部１ｄ、２ｅを備えると共に、この稜部１ｄ、２ｅを挟んだ両側面をいずれも傾斜面としている。
【００２２】
摘み部６は、湾曲部１の長さ方向略中程の位置において上部をこの湾曲部１の湾曲内側部１ｂに一体に連接させた板状をなすように構成されている。摘み部６の板面は湾曲部１の長さ方向に沿って配されるようになっている。また、摘み部６はその下部側に向かうに連れて次第に前記板面の幅を大きくする略扇状を呈するように構成されている。図中符号６ａで示されるのは、摘み部６の肉抜き穴である。
【００２３】
左右のクランプ部２の間隔５に湾曲部１に枝Ｂが交叉するようにして上方から枝Ｂを通す。（図４）この状態から摘み部６を利用して左側のクランプ部２と湾曲部１とにより形成される導入口４と、右側のクランプ部２と湾曲部１とにより形成される導入口４とにそれぞれ枝Ｂが入り込む向きに略９０度クリップを捻り回すと、左右のクランプ部２と湾曲部１との間に枝Ｂがそれぞれ入り込みクリップは枝Ｂにワンタッチで留め付けられる。
【００２４】
（第二実施例）
図６〜図１１に示される第二実施例にかかるクリップにあっては、フック端と湾曲部１における植物の茎Ｓ側に向けられる一端部との間をこの茎Ｓを側方から受け入れさせる導入口８とするこの茎Ｓに対するフック部７を一体に備えている。
【００２５】
この例にあっても、湾曲部１は、上部を湾曲外側部１ａとし、下部を湾曲内側部１ｂとした細長い湾曲した板状を呈するように構成されている。クランプ部２は、下端を湾曲部１の長さ方向に亘る一方の縁部に一体に連接させて上方に突き出す連接側部２ａと、この連接側部２ａの上端から湾曲部１の長さ方向に亘る他方の縁部上に向けて突き出す上部２ｂとを備えている。この上部２ｂは湾曲部１の湾曲に倣った湾曲を持つように構成されている。また、図中符号１ｅ、２ｃで示されるのは、かかる湾曲部１及び連接側部２ａに形成された肉抜き穴である。また、この例にあっては、湾曲部１の長さ方向に二箇所の係止爪１ｃが両者の間に間隔を開けて形成されている。
【００２６】
フック部７は、平面視の状態で、仮想の円の略２７０度分の範囲について、この円の円弧に倣うように形成された湾曲片状をなすように構成されている。フック部７の一端７ａは、クランプ部２の上部２ｂに一体に連接されている。また、このフック部７の一端７ａに対向する位置にある中間部には段部７ｂが形成され、この段部７ｂとフック部７の前記フック端となる他端７ｃとの間は、この一端７ａと段部７ｂまでの箇所より下方に位置されるようになっている。この例では、フック部７の他端７ｃには操作摘み部７ｄが形成されている。
【００２７】
また、この例にあっては、クランプ部２の上部２ｂであってフック部７との連接側と反対の端部であって前記導入口８に臨んだ箇所には、下方に突き出す突部２ｆが形成されている。保持空間３に枝Ｂを保持させた状態では、この突部２ｆはクランプ部２の連接側部２ａとの間でこの枝Ｂを挟むようになっている。
【００２８】
フック部７の導入口８を通じてこのフック部７内に茎Ｓを入れ込み通す。（図１０）この例では、このときにはフック部７はその導入口８を広げる向きに弾性変形されるようになっている。この弾性変形は前記操作摘み部７ｄを利用してなすことができる。この状態から茎Ｓを軸にするようにして湾曲部１の側を移動させると、クランプ部２と湾曲部１とにより形成される導入口８を通じて保持空間３内に枝Ｂを入り込ませることができ、これによりクリップは枝Ｂに留め付けられる。（図１１）この例では、枝Ｂ側の荷重をクリップを介してこのクリップと茎Ｓとの留め付け位置、つまり、フック部７の引っ掛け位置においても茎Ｓ側に支えさせることができる。
【符号の説明】
【００２９】
Ｂ  枝
１  湾曲部
１ａ  湾曲外側部
２  クランプ部
２ａ  連接側部
２ｂ  上部
３  保持空間
４  導入口
【図１】
2011160774.tif 000003
【図２】
2011160774.tif 000004
【図３】
2011160774.tif 000005
【図４】
2011160774.tif 000006
【図５】
2011160774.tif 000007
【図６】
2011160774.tif 000008
【図７】
2011160774.tif 000009
【図８】
2011160774.tif 000010
【図９】
2011160774.tif 000011
【図１０】
2011160774.tif 000012
【図１１】
2011160774.tif 000013